【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
１つまたは複数の係止タブを有する第１の導管コネクタと、
第２の導管コネクタであって、
第１の孔と、
少なくとも１つの第２の孔と、
１つまたは複数の係止指であって、前記係止指は、前記第１の導管コネクタの前記１つまたは複数の係止タブと着脱可能に取り付けるように構成され、前記第１の導管コネクタと前記第２の導管コネクタが取り外し可能に結合するように構成されている、
第２の導管コネクタと、を含む、
コネクタアセンブリ。
【請求項２】
前記第２の導管コネクタの前記少なくとも１つの第２の孔は、患者インタフェースの導管を受け入れるように構成されたターミナル孔である、請求項１に記載のコネクタアセンブリ。
【請求項３】
前記第２の導管コネクタの前記第１の孔は、ガスの流れを受け入れるように構成されたソース孔である、請求項２に記載のコネクタアセンブリ。
【請求項４】
前記少なくとも１つの第２の孔は前記第２の導管コネクタの角度のある表面によって囲まれ、該角度のある表面は、気流を前記導管に注ぎ込むように構成されている、請求項２又は３に記載のコネクタアセンブリ。
【請求項５】
前記第１の導管コネクタ又は前記第２の導管コネクタは、導管コネクタ本体と、センサプローブを受け入れるためのチャネルを備えた少なくとも１つの受け入れ部と、を備える、請求項１〜４のいずれか１項に記載のコネクタアセンブリ。
【請求項６】
１つまたは複数の係止凹部が各々の係止指に形成されている、請求項１〜５のいずれか１項に記載のコネクタアセンブリ。
【請求項７】
前記第２の導管コネクタの前記係止指の前記係止凹部は、前記第１の導管コネクタの前記係止タブと係合するように構成されている、請求項６に記載のコネクタアセンブリ。
【請求項８】
前記係止指は、前記第２の導管コネクタの本体から延びる、請求項１〜７のいずれか１項に記載のコネクタアセンブリ。
【請求項９】
前記第１の導管コネクタは、該第１の導管コネクタの内部表面に形成されたアライメントタブを備え、該アライメントタブは、前記第２の導管コネクタを前記第１の導管コネクタ内に挿入すると、前記アライメントタブが前記第２の導管コネクタの前記１つまたは複数の係止指を前記第１の導管コネクタの前記１つまたは複数の係止タブと自動的に整列するように構成されている、請求項１〜８のいずれか１項に記載のコネクタアセンブリ。
【請求項１０】
前記アライメントタブは、前記第１の導管コネクタに対して前記第２の導管コネクタを回転させることにより、前記第２の導管コネクタの前記１つまたは複数の係止指を前記第１の導管コネクタの前記１つまたは複数の係止タブに自動的に整列するように構成されている、請求項９に記載のコネクタアセンブリ。
【請求項１１】
前記アライメントタブは、前記第２の導管コネクタが前記第１の導管コネクタに挿入されるとき前記係止タブが前記係止凹部と整列しない場合は、前記第１の導管コネクタが前記第２の導管コネクタに接続されたときに前記１つまたは複数の係止凹部が前記１つまたは複数の係止タブと整列するように、前記第１の導管コネクタに対して前記第２の導管コネクタを回転させることにより、前記第２の導管コネクタの前記１つまたは複数の係止指を前記第１の導管コネクタの前記１つまたは複数の係止タブに自動的に整列するように構成されている、請求項６または７を引用する請求項９または１０に記載のコネクタアセンブリ。
【請求項１２】
ガスを患者に提供するための気体送達導管用の第１の導管コネクタであって、
第１の導管コネクタ本体と、
第１の孔と、
患者インタフェースの導管を受け入れるように構成された、少なくとも１つの第２の孔と、
前記第２の孔の中に位置した連結アダプタであって、該連結アダプタは、１つまたは複数の係止指と、各係止指上に形成された１つまたは複数の係止凹部とを備え、該１つまたは複数の係止凹部は、第２の導管コネクタに形成された係止タブと係合するように構成されている、連結アダプタと、
を備える気体送達用の第１の導管コネクタ。
【請求項１３】
ガスを患者に提供するための気体送達導管用の第１の導管コネクタであって、
第１の導管コネクタ本体と、
第１の孔と、
患者インタフェースの導管を受け入れるように構成された、少なくとも１つの第２の孔と、
１つ又は複数の係止指と、各係止指上に形成された１つまたは複数の係止凹部であって、該１つまたは複数の係止凹部は、第２の導管コネクタに形成された係止タブと係合するように構成されている、係止凹部とを備える、気体送達導管用の第１の導管コネクタ。
【請求項１４】
前記導管は鼻カニューレのカニューレチューブである、請求項１２または１３に記載の第１の導管コネクタ。
【請求項１５】
前記第１の導管コネクタの前記少なくとも１つの第２の孔はターミナル孔である、請求項１２〜１４のいずれか１項に記載の第１の導管コネクタ。
【請求項１６】
前記第１の導管コネクタ本体は、略円筒状のチューブを含む、請求項１２〜１５のいずれか１項に記載の第１の導管コネクタ。
【請求項１７】
前記少なくとも１つの第２の孔は、２つの開口部を備え、各開口部は患者インタフェースにガスを供給する導管を受け入れ可能である、請求項１５または１６に記載の第１の導管コネクタ。
【請求項１８】
前記第１の導管コネクタまたは前記第１の導管コネクタの構成要素は、前記第１の導管コネクタのサイズ情報を示すために着色される、請求項１２〜１７のいずれか１項に記載の第１の導管コネクタ。
【請求項１９】
前記第１の導管コネクタの前記第１の孔は、ガスの流れを受け入れるソース孔である、請求項１２〜１８のいずれか１項に記載の第１の導管コネクタ。
【請求項２０】
患者インタフェースと、
請求項１２〜１９のいずれか１項に記載の第１の導管コネクタを備える、患者インタフェースアセンブリ。
【請求項２１】
第１の導管コネクタに着脱可能に取り付けるように構成された第２の導管コネクタであって、
前記第１の導管コネクタに着脱可能に取り付けるように構成された１つまたは複数の係止指を有する第２の導管本体であって、前記１つまたは複数の係止指が前記第２の導管本体から長手方向に突出している第２の導管本体と、
各々の係止指に形成された１つまたは複数の係止凹部であって、前記１つまたは複数の係止凹部が前記第１の導管コネクタに形成された係止タブと係合するように構成されている、１つまたは複数の係止凹部と、を備え、
前記第２の導管コネクタは、前記第２の導管コネクタが前記第１の導管コネクタに連結されるとき、前記第２の導管コネクタの前記１つ又は複数の係止凹部が、前記第１の導管コネクタの１つまたは複数の係止タブと整列するよう、前記第１の導管コネクタ上の１つまたは複数のアライメントタブと相互作用するように構成されている、第２の導管コネクタ。
【請求項２２】
前記アライメントタブは、前記第２の導管コネクタが前記第１の導管コネクタに取り付けられるとき、前記第１の導管コネクタに対して前記第２の導管コネクタを回転させることにより、前記第２の導管コネクタの前記１つまたは複数の係止指が前記第１の導管コネクタ上の前記１つまたは複数の係止タブと整列するように構成されている、
請求項２１に記載の第２の導管コネクタ。
【請求項２３】
前記アライメントタブは、前記第２の導管コネクタが前記第１の導管コネクタに挿入されるとき前記係止タブが前記係止凹部と整列しない場合は、前記第１の導管コネクタが前記第２の導管コネクタに接続されたときに前記１つまたは複数の係止凹部が前記１つまたは複数の係止タブと整列するように、前記第１の導管コネクタに対して前記第２の導管コネクタを回転させることにより、前記第２の導管コネクタの前記１つまたは複数の係止指を前記第１の導管コネクタの前記１つまたは複数の係止タブに自動的に整列するように構成されている、請求項２１または２２に記載の第２の導管コネクタ。
【請求項２４】
前記第２の導管コネクタの前記１つまたは複数の係止指は、前記第１の導管コネクタと機械的に結合し、この機械的な結合部が前記機械的な結合部の領域内にセンサプローブのための空間を提供するように構成されている、請求項２１〜２３のいずれか１項に記載の第２の導管コネクタ。